(57)【要約】【課題】従来のプールボックスのボックス本体の有効利用を図って、リニューアル制御装置を機械室床に設置する。【解決手段】制御装置用プールボックス２Ａはボックス本体２と、ボックス本体２内に固定された脚体１０とを備えている。脚体１０はボックス本体２に固定される固定板１１と、制御装置１を保持する保持板１２と、固定板１１と保持板１２との間の連結板１３とを有する。【選択図】図１
2015231903.tif 000002
【特許請求の範囲】
【請求項１】
機械室床に設置される制御装置を支持する制御装置用プールボックスにおいて、
上方が開口するとともに配線を収納するボックス本体と、
前記ボックス本体内に固定されるとともに、前記ボックス本体と別体に設けられ前記制御装置を保持する脚体とを備え、
前記脚体は前記ボックス本体に固定される固定板と、前記制御装置を保持する保持板と、前記固定板と前記保持板とを連結する連結板とを有することを特徴とする制御装置用プールボックス。
【請求項２】
前記脚体の固定板には、前記機械室床から突出し前記ボックス本体を貫通する締結ボルトが挿入される挿入穴が形成されていることを特徴とする請求項１記載の制御装置用プールボックス。
【請求項３】
前記脚体の固定板には、挿入穴に加えて締結ボルト用の予備穴が形成され,
前記予備穴は細長形状を有することを特徴とする請求項２記載の制御装置用プールボックス。
【請求項４】
前記ボックス本体内に複数の脚体が設けられ、各脚体は単一の固定板を有し、各固定板には前記機械室床から突出し前記ボックス本体を貫通する締結ボルトが挿入される挿入穴が形成されていることを特徴とする請求項１記載の制御装置用プールボックス。
【請求項５】
ボックス本体は長方形状の平面形状をもち、前記脚体の連結板はボックス本体の長手方向に平行に延びることを特徴とする請求項１記載の制御装置用プールボックス。
【発明の詳細な説明】
【技術分野】
【０００１】
本発明はエレベータリニューアル工事において用いられ、新しい耐震基準にも合致する制御装置を支持する制御装置用プールボックスに関する。
【背景技術】
【０００２】
エレベータの制御装置は、機械室床をなすシンダーコンクリートに埋設された配線引き回し接続用のプールボックス上に支持されている。エレベータリニューアル時、既設のエレベータ制御装置を撤去した後、このプールボックスは残る。
【０００３】
このプールボックスは従来の制御装置を支持してきたものであるので、従来基準の耐震強度は満たす。エレベータリニューアル工事において、このプールボックスに、通線用の穴開けを施したカバーとなる平板を製作し取り付け、この平板に予め加工した制御装置取り付け穴を利用し制御装置を平板上に載せて固定している。
【０００４】
しかしながら、このような従来方法では、新耐震基準に求められる下記２項目を満足することができない。
【０００５】
（１）プールボックスの材質は強度部材となるＳＳ４００を使用しなければならないが、従来のプールボックスはＳＳ４００より劣る強度の材料を使用しているため、新耐震基準に合致するにはリニューアル制御装置の脚材として不適である。
【０００６】
（２）強度支持材は建物躯体に直接取り付け固定されるものであること、すなわち制御装置の脚体を建屋の躯体に取り付けることが求められる。
【０００７】
従来より機械室床または床下に敷設したケーブル配管が接続された既設プールボックスはむやみに撤去できないが、エレベータの制御装置を支持固定する脚体として利用することは可能である。
【０００８】
一方で機械室床面は鉄筋コンクリートではなく、床面レベルを合わせるために流し込んだコンクリート層、すなわちシンダーコンクリート層と呼ばれるもので構成されており、当該コンクリート層は耐震性はあまりない。このためアンカーボルトを打ち込みそれ自体で制御装置固定するには不適である。また制御装置を機械室床に固定する場合、長アンカーを使用しアンカースリーブを鉄筋コンクリート層に固定している。しかしながら制御装置はシンダーコンクリート層を挟んで固定することになり、アンカースリーブまでの距離が長いことから使用するボルト径の拡大やアンカー打点が増大する。このため用具工具の準備調達や工事負担増大を招くことから、他の手段の提供が望まれていた。
【先行技術文献】
【特許文献】
【０００９】
【特許文献１】特開２０００−２０３７７１号公報
【発明の概要】
【発明が解決しようとする課題】
【００１０】
本発明はこのような点を考慮してなされたものであり、リニューアル工事において、エレベータの制御装置を確実に支持することができる制御装置用プールボックスを提供することを目的とする。
【課題を解決するための手段】
【００１１】
本実施の形態は、機械室床に設置される制御装置を支持する制御装置用プールボックスにおいて、上方が開口するとともに配線を収納するボックス本体と、前記ボックス本体内に固定されるとともに、前記ボックス本体と別体に設けられ前記制御装置を保持する脚体とを備え、前記脚体は前記ボックス本体に固定される固定板と、前記制御装置を保持する保持板と、前記固定板と前記保持板とを連結する連結板とを有することを特徴とする制御装置用プールボックスである。
【００１２】
本実施の形態は、前記脚体の固定板には、前記機械室床から突出し前記ボックス本体を貫通する締結ボルトが挿入される挿入穴が形成されていることを特徴とする制御装置用プールボックスである。
【００１３】
本実施の形態は、前記脚体の固定板には、挿入穴に加えて締結ボルト用の予備穴が形成され、前記予備穴は細長形状を有することを特徴とする制御装置用プールボックスである。
【００１４】
本実施の形態は、前記ボックス本体内に複数の脚体が設けられ、各脚体は単一の固定板を有し、各固定板には前記機械室床から突出し前記ボックス本体を貫通する締結ボルトが挿入される挿入穴が形成されていることを特徴とする制御装置用プールボックスである。
【００１５】
本実施の形態は、ボックス本体は長方形状の平面形状をもち、前記脚体の連結板はボックス本体の長手方向に平行に延びることを特徴とする制御装置用プールボックスである。
【発明の効果】
【００１６】
以上のように本実施の形態によれば、従来のプールボックス本体の有効利用を図りながら、リニューアル制御装置を容易かつ確実に機械室床に設置することができる。
【図面の簡単な説明】
【００１７】
【図１】図１は第１の実施の形態による制御装置用プールブックスを示す斜視図。
【図２】図２はボックス本体内に配置された脚体を示す図。
【図３】図３はボックス本体を示す図。
【図４】図４は機械室床に設置されたボックス本体を示す図。
【図５】図５は脚体に支持された制御装置を示す図。
【図６】図６はプールボックスに設置された制御装置を示す図。
【図７】図７は第２の実施の形態による制御装置用プールボックスを示す図。
【図８】図８は第３の実施の形態による制御装置用プールボックスを示す図。
【図９】図９は第４の実施の形態による制御装置用プールボックスを示す図。
【図１０】図１０は第５の実施の形態による制御装置用プールボックスを示す図。
【発明を実施するための形態】
【００１８】
＜第１の実施の形態＞
以下、図面を参照して第１の実施の形態について説明する。図１乃至図６は、制御用プールボックスの第１の実施の形態を示す図である。
【００１９】
まず図６において、リニューアル工事で設置されるエレベータの制御装置を支持する制御装置用プールボックス１０Ａについて説明する。
【００２０】
図６に示すように、機械室床Ｂに制御装置用プールボックス１０Ａが設置され、この制御装置用プールボックス１０Ａに、リニューアル工事で設置されるエレベータの制御装置（制御盤ともいう）１が支持されている。
【００２１】
この場合、機械室床Ｂは鉄筋コンクリートからなっている。
【００２２】
また制御装置用プールボックス１０Ａは、上方に開口２ａを有するとともに長手方向Ｌに沿って延びる配線Ｗが配置されたボックス本体２と、ボックス本体２内に固定されるとともにボックス本体２と別体に設けられ制御装置１を保持する２個の脚体１０とを備えている。
【００２３】
このうち、ボックス本体２は、長手方向Ｌを有する長方形状の平面形状をもち、開口２ａを形成する側面２ｃと、底面２ｂとを有し、底面２ｂに設けられたアンカー止穴３に機械室床Ｂから突出する図示しないアンカーボルト（締結ボルト）を挿着することにより機械室床Ｂに固定される（図３参照）。具体的には、図４に示すように、機械室床Ｂにボックス本体２を収納する収納穴が形成され、ボックス本体２はこの機械室床Ｂの収納穴内に埋設され、アンカー止穴３にアンカーボルトを挿着することにより機械室床Ｂに固定される。
【００２４】
また各脚体１０はボックス本体２より強度の高い材料、例えばＳＳ４００からなり、ボックス本体２の底面２ｂに固定される一対の固定板１１と、制御装置２を保持する保持板１２と、各固定板１１と保持板１２との間に垂直方向に延びる連結板１３とを有している。固定板１１には機械室床Ｂから突出しボックス本体２の底面２ｂを貫通するアンカーボルトが挿入される挿入穴１１ａが設けられている。
【００２５】
すなわち、リニューアル制御装置１を設置する場合、まず既設の制御装置を撤去し、ボックス本体２のみを機械室床Ｂに残す。この場合、機械室床Ｂから突出するアンカーボルトがボックス本体２の底面２ｂに設けられたアンカー止穴３内に挿着されて、ボックス本体２は機械室床Ｂに固定されている。
【００２６】
次にボックス本体１０内に２個の脚体１０を設け、アンカーボルトを脚体１０の挿入穴１１ａ内に挿着することにより、ボックス本体１０内で脚体１０を固定することができる。
【００２７】
なお、各脚体１０の固定板１１には、挿入穴１１ａの他に、アンカーボルトが挿入可能な予備穴１１ｂが設けられている。
【００２８】
次にこのような構成からなる本実施の形態の作用について説明する。制御装置１をリニューアルする場合、まずボックス本体２から既設の制御装置１を撤去し、ボックス本体２のみを機械室床Ｂに残す。次にボックス本体２内のアンカーボルトからアンカー止めナット、バネ座、平座を一旦外し、ボックス本体２内に２個の脚体１０を設置した上で、平座、バネ座、アンカー止めナットで固定する。その後図５に示すように、脚体１０上に制御装置固定用のアダプタプレート１５を置き、従来の制御装置がリニューアル制御装置より奥行きが大きいために発生する空き空間を塞ぐ。次に図６に示すように、アダプタプレート１５上にリニューアル制御装置１を取り付け、このようにしてリニューアル制御装置１を設置する。
【００２９】
本実施の形態によれば、ボックス本体２の構造強度に依存することなく、リニューアル制御装置１を機械室床Ｂに直接固定することができる。またＳＳ４００で製作した脚体１０をボックス本体２の底面２ｂに直接固定しているので新しい耐震基準にも適合する。
【００３０】
また各脚体１０の固定板１１には予備の予備穴１１ｂが設けられているため、従来のアンカーボルトを使用できなかった場合は予備穴１１ｂに対応させて別のアンカーボルトを打ち、固定することで各脚体１０を確実に機械室床Ｂに固定することができる。
【００３１】
＜第２の実施の形態＞
次に図７により第２の実施の形態について説明する。図７に示す第２の実施の形態は脚体１０の構造が異なるのみであり、他の構成は図１乃至図６に示す第１の実施の形態と略同一である。
【００３２】
図７に示す第２の実施の形態において、図１乃至図６に示す第１の実施の形態と同一部分には同一符号を付して詳細な説明は省略する。
【００３３】
図７に示すように、脚体１０の固定板１１には、アンカーボルトが挿入される挿入穴１１ａに加えて、アンカーボルト挿入用の追加の複数の予備穴１１ｂ、１１ｂが設けられている。
【００３４】
このように固定板１１に複数の予備穴１１ｂ、１１ｂを設けることにより、従来のアンカーボルトをそのまま使用したり、新たなアンカーボルトを使用する自由度、および機械室床Ｂへ打込む位置の自由度が高まる。
【００３５】
＜第３の実施の形態＞
次に図８により第３の実施の形態について説明する。図８に示す第３の実施の形態は脚体１０の構造が異なるのみであり、他の構成は図１乃至図６に示す第１の実施の形態と略同一である。
【００３６】
図８に示す第３の実施の形態において、図１乃至図６に示す第１の実施の形態と同一部分には同一符号を付して詳細な説明は省略する。
【００３７】
図８に示すように、脚体１０の固定板１１には、アンカーボルトが挿入される挿入穴１１ａに加えて、アンカーボルト挿入用の追加の予備穴１１ｂ、１１ｃが設けられている。
【００３８】
このうち予備穴１１ｂは丸穴からなり、予備穴１１ｃはボックス本体２の長手方向に対して４５°傾斜する細長形状をもつ。
【００３９】
このように固定板１１に複数の予備穴１１ｂ、１１ｃを設け、このうち予備穴１１ｃを細長形状とすることにより、従来のアンカーボルトが設計寸法をもたない場合や、新たなアンカーボルトが設計寸法をもたない場合でも、これらのアンカーボルトを細長形状をもつ予備穴１１ｃ内へ容易に挿入することができる。
【００４０】
＜第４の実施の形態＞
次に図９により第４の実施の形態について説明する。図９に示す第４の実施の形態は脚体１０の構造が異なるのみであり、他の構成は図１乃至図６に示す第１の実施の形態と略同一である。
【００４１】
図９に示す第４の実施の形態において、図１乃至図６に示す第１の実施の形態と同一部分には同一符号を付して詳細な説明は省略する。
【００４２】
図９に示すように、ボックス本体２内に合計４つの脚体１０が設けられている。各脚体１０は単一の固定板１１を有し、この固定板１１には、アンカーボルトが挿入される挿入穴１１ａに加えて、アンカーボルト挿入用の追加の予備穴１１ｂが設けられている。
【００４３】
図９に示すように、各脚体１０は単一の固定板１１を有する。このため、ボックス本体２内に対称的にアンカーボルトを打ち込むことができない場合でも、４つの脚体１０をボックス本体２内の所望の場所に配置することができる。
【００４４】
＜第５の実施の形態＞
次に図１０により第５の実施の形態について説明する。図１０に示す第５の実施の形態は脚体１０の構造が異なるのみであり、他の構成は図１乃至図６に示す第１の実施の形態と略同一である。
【００４５】
図１０に示す第５の実施の形態において、図１乃至図６に示す第１の実施の形態と同一部分には同一符号を付して詳細な説明は省略する。
【００４６】
図１０に示すように、ボックス本体２内に一対の脚体１０が設けられ、脚体１０の固定板１１には、アンカーボルトが挿入される挿入穴１１ａが設けられている。
【００４７】
また脚体１０の連結板１３はボックス本体２の長手方向Ｌに沿って延びている（図１参照）。
【００４８】
図１０に示すように各脚体１０の連結板１３は、ボックス本体２の長手方向Ｌに沿って延びている。
【００４９】
制御装置１の変遷に従ってボックス本体２の構造も変更されているが、一般にボックス本体２内には、長手方向Ｌに沿って延びる配線Ｗが収納されている。この場合、ボックス本体２内に設置された脚体１０の連結板１３はボックス本体２の長手方向に沿って延びているため、ボックス本体２内の配線Ｗの配線経路に影響を与えることなく、ボックス本体２内に脚体１０を確実に配置し固定することができる。
【符号の説明】
【００５０】
１  制御装置
２  ボックス本体
２Ａ  プールボックス
１０  脚体
１１  固定板
１１ａ  挿入穴
１１ｂ  予備穴
１１ｃ  予備穴
１２  保持板
１３  連結板
Ｂ  機械室床
Ｗ  配線
Ｌ  長手方向
【図１】
2015231903.tif 000003
【図２】
2015231903.tif 000004
【図３】
2015231903.tif 000005
【図４】
2015231903.tif 000006
【図５】
2015231903.tif 000007
【図６】
2015231903.tif 000008
【図７】
2015231903.tif 000009
【図８】
2015231903.tif 000010
【図９】
2015231903.tif 000011
【図１０】
2015231903.tif 000012
【手続補正書】
【提出日】平成27年7月3日(2015.7.3)
【手続補正１】
【補正対象書類名】明細書
【補正対象項目名】００１１
【補正方法】変更
【補正の内容】
【００１１】
本実施の形態は、機械室床に設置される制御装置を支持する制御装置用プールボックスにおいて、上方が開口するとともに配線を収納するボックス本体と、前記ボックス本体内に固定されるとともに、前記ボックス本体と別体に設けられ前記制御装置を保持する複数の脚体とを備え、各脚体は前記ボックス本体に固定される固定板と、前記制御装置を保持する保持板と、前記固定板と前記保持板とを連結する連結板とを有し、脚体の保持板の合計面積は、平面視で前記ボックス本体の面積の半分以下となっており、各脚体の保持板上にアダプタプレートを介して前記制御装置が保持されていることを特徴とする制御装置用プールボックスである。
【手続補正２】
【補正対象書類名】明細書
【補正対象項目名】００１２
【補正方法】変更
【補正の内容】
【００１２】
本実施の形態は、各脚体の固定板には、前記機械室床から突出し前記ボックス本体を貫通する締結ボルトが挿入される挿入穴が形成されていることを特徴とする制御装置用プールボックスである。
【手続補正３】
【補正対象書類名】明細書
【補正対象項目名】００１３
【補正方法】変更
【補正の内容】
【００１３】
本実施の形態は、各脚体の固定板には、挿入穴に加えて締結ボルト用の予備穴が形成され、前記予備穴は細長形状を有することを特徴とする制御装置用プールボックスである。
【手続補正４】
【補正対象書類名】明細書
【補正対象項目名】００１４
【補正方法】変更
【補正の内容】
【００１４】
本実施の形態は、各脚体は単一の固定板を有し、各固定板には前記機械室床から突出し前記ボックス本体を貫通する締結ボルトが挿入される挿入穴が形成されていることを特徴とする制御装置用プールボックスである。
【手続補正５】
【補正対象書類名】明細書
【補正対象項目名】００１５
【補正方法】変更
【補正の内容】
【００１５】
本実施の形態は、ボックス本体は長方形状の平面形状をもち、各脚体の連結板はボックス本体の長手方向に平行に延びることを特徴とする制御装置用プールボックスである。
【手続補正６】
【補正対象書類名】特許請求の範囲
【補正対象項目名】全文
【補正方法】変更
【補正の内容】
【特許請求の範囲】
【請求項１】
機械室床に設置される制御装置を支持する制御装置用プールボックスにおいて、
上方が開口するとともに配線を収納するボックス本体と、
前記ボックス本体内に固定されるとともに、前記ボックス本体と別体に設けられ前記制御装置を保持する複数の脚体とを備え、
各脚体は前記ボックス本体に固定される固定板と、前記制御装置を保持する保持板と、前記固定板と前記保持板とを連結する連結板とを有し、
脚体の保持板の合計面積は、平面視で前記ボックス本体の面積の半分以下となっており、
各脚体の保持板上にアダプタプレートを介して前記制御装置が保持されていることを特徴とする制御装置用プールボックス。
【請求項２】
各脚体の固定板には、前記機械室床から突出し前記ボックス本体を貫通する締結ボルトが挿入される挿入穴が形成されていることを特徴とする請求項１記載の制御装置用プールボックス。
【請求項３】
各脚体の固定板には、挿入穴に加えて締結ボルト用の予備穴が形成され,
前記予備穴は細長形状を有することを特徴とする請求項２記載の制御装置用プールボックス。
【請求項４】
各脚体は単一の固定板を有し、各固定板には前記機械室床から突出し前記ボックス本体を貫通する締結ボルトが挿入される挿入穴が形成されていることを特徴とする請求項１記載の制御装置用プールボックス。
【請求項５】
ボックス本体は長方形状の平面形状をもち、各脚体の連結板はボックス本体の長手方向に平行に延びることを特徴とする請求項１記載の制御装置用プールボックス。